(57)【要約】【課題】複数のアンテナ系列それぞれに送信電力増幅器を配置した場合であっても、必要な変調精度を確保しつつ送信電力増幅器の消費電力および実装面積を削減する。【解決手段】Ｎ個の各アンテナ系列にそれぞれ１個ずつ搭載されている送信電力増幅器（総計Ｎ個）５０６として、少なくとも飽和出力電力値が異なる２種類以上の増幅器を用いる。つまり、Ｎ個の送信電力増幅器５０６の少なくとも１つは、他の送信電力増幅器５０６と比較して、飽和出力電力値が異なっている。送信制御部５００は、受信した送信制御信号をもとに作成された符号化率情報、変調多値数情報、使用送信アンテナ系列数情報、受信機の受信誤り率に関する情報等の変調情報に基づいて、Ｎ個のアンテナ系列の中から送信規定を満足するアンテナ系列を、使用するアンテナ系列として選択する。【選択図】図１
2007158913.tif 000002
【特許請求の範囲】
【請求項１】
複数の送信アンテナと前記複数の送信アンテナに対してそれぞれ配置された複数の送信電力増幅器とから構成された複数のアンテナ系列を有する送信機において、
前記複数の送信電力増幅器の少なくとも１つは、他の送信電力増幅器と比較して、増幅に関する特性が異なることを特徴とする送信機。
【請求項２】
前記増幅に関する特性が、飽和出力電力値である請求項１記載の送信機。
【請求項３】
指定された変調情報に基づいて、前記複数のアンテナ系列の中から使用するアンテナ系列を選択する送信制御部をさらに備えた請求項１または２記載の送信機。
【請求項４】
前記送信制御部は、前記変調情報として使用送信アンテナ系列数情報を用いる請求項３記載の送信機。
【請求項５】
前記送信制御部は、前記変調情報として符号化率情報を用いる請求項３記載の送信機。
【請求項６】
前記送信制御部は、前記変調情報として変調多値数情報を用いる請求項３記載の送信機。
【請求項７】
前記送信制御部は、前記変調情報として受信機の受信誤り率に関する情報を用いる請求項３記載の送信機。
【発明の詳細な説明】
【技術分野】
【０００１】
本発明は、複数の送信アンテナと複数の送信アンテナに対してそれぞれ配置された複数の送信電力増幅器とから構成された複数のアンテナ系列を有する送信機に関する。
【背景技術】
【０００２】
単純な無線通信システムの送信機では、アンテナ系列は１つしか存在しないが、アレイアンテナ装置や送信ダイバシティ機能を備えた送信機等では、複数系列のアンテナ系列が用いられている。（例えば、特許文献１参照。）。また、伝送レートにより、使用するアンテナ数を切り替えるような無線通信システムも存在する。
【０００３】
このような複数のアンテナ系列を有する従来の送信機を図３に示す。この従来の送信機は、図３に示されるように、デジタル信号処理部１０と、デジタルアナログ変換処理部１１と、アナログ信号処理部１２と、Ｎ個の送信電力増幅器（１）〜（Ｎ）１３と、Ｎ個の送信アンテナ１５とから構成されている。
【０００４】
なお、図３では、アンテナ系列数をＮ（＞１）と表記した。図３において、デジタル信号処理部１０にて源情報データをデジタル信号処理した信号は、デジタルアナログ変換処理部１１を介してアナログ信号に変換され、アナログ信号処理部１２にてアナログ信号処理された後、Ｎ個の送信電力増幅器（１）〜（Ｎ）１３にて送信電力がそれぞれ増幅され、アンテナ１５を介して空間に送信される。
【０００５】
ここで、一般に送信機では、単位周波数当りかつ、／或いは、１アンテナ系列当りの情報伝送速度が高くなるにつれ、その送信信号が受信可能となる許容歪み、すなわち変調精度が高く要求されることは無線技術者であれば容易に理解できることである。一般に変調精度を決定する要因として、送信電力増幅器による非線形歪みや、発振器による位相雑音等が挙げられる。以下、送信電力増幅器について説明する。図４に送信電力増幅器の出力電力に対する増幅器の利得及び消費電力の関係を示す。図４において、信号を歪みなく増幅するためには利得は出力電力によらず一定であることが望ましいが、送信電力増幅器からの出力電力には上限（飽和出力電力）があるため、飽和出力電力付近では送信電力増幅器の入力電力を増やしても出力電力の増加が頭打ちになる。従って、増幅器歪みが許容できる出力電力となるまでバックオフをとる必要がある。
【０００６】
次に、送信電力増幅器の消費電力について述べる。送信電力増幅器の消費電力Ｐdcは次式の関係を持つ。
【０００７】
Ｐdc  ＝  Ｐsat / ηmax・・・(１)
ここで、Ｐsatは飽和出力電力、ηmaxは増幅器の構成で決定される最大効率である。
式（１）より、最大効率ηmaxを固定した場合、送信電力増幅器の消費電力Ｐdcは増幅器の飽和電力に依存し、バックオフに依存しないことがわかる（図４において、消費電力はバックオフに依存せず一定である）。一方で、図４に示す様に送信電力増幅器で発生する信号の非線形歪みの度合いはバックオフに依存し、バックオフが大きくなる程小さくなる（変調精度が向上する）。例えば、変調多値数をＢＰＳＫ（Binary Phase Shift Keying）→ＱＰＳＫ（Quadrature Phase Shift Keying）→１６ＱＡＭ（Quadrature Amplitude Modulation）→６４ＱＡＭと増加させることで伝送レートを増加させる場合、ＢＰＳＫ→ＱＰＳＫ→１６ＱＡＭ→６４ＱＡＭの順に変調精度を満足するためのバックオフが大きくなる。また、一般に、飽和出力電力Ｐsatが大きい程、送信電力増幅器の物理的なサイズが増す。ここまでが送信電力増幅器に関する説明である。
【０００８】
次に、無線伝送システムの送信機に関する一般的な送信規定について説明する。一般に送信機は、各周波数帯域で規定された無線伝送システムの規定を満足するものであり、送信規定として、中心周波数、帯域、チャネル漏洩電力等の送信スペクトル規定や、最大送信電力、変調歪み等の規定がある。一例として図５には、複数のアンテナ系列を有する送信機の送信スペクトルを示している。図５において、破線は送信スペクトル規定を示し、実線は送信機の送信スペクトルを表しており、各アンテナ系列から送信される信号はスペクトル規定を満足している。
【０００９】
また、複数のアンテナを有する送信機をシステムに適応した場合、最大送信電力規定を満足するための各アンテナにて許容される平均送信電力TxPowは、次式の関係を満足する必要がある。
【００１０】
Ｎ×TxPow  ≦  TxPow(max)  ・・・(２)
ここで、Ｎは送信機にて使用する送信アンテナ系列数、TxPow(max)は送信機が使用されるシステムでの最大送信電力規定値である。
【００１１】
以上の状況を踏まえ、従来技術における複数のアンテナ系列を有する送信機では、各アンテナ系列に対する実装の容易さから、各アンテナ系列に同等の性能をもつ送信電力増幅器を配置し、どれか１つのアンテナ系列を送信の際に任意に選択しても、その選択したアンテナ系列からの送信信号は送信規定を満足するように送信電力増幅器を動作させている。
【００１２】
これまでに、複数のアンテナ系列を有する送信機の最大送信電力規定は式（２）を満足することを述べた。ここで、式(２)の送信機の総送信電力（＝Ｎ×TxPow）は通信エリアを拡大する観点から、送信に関する規定を満足する範囲内においてはTxPow(max)まで送信できること、つまり、次式を満足することが望ましい。
【００１３】
Ｎ×TxPow ＝  TxPow(max)  ・・・(３)
ここで式（３）をｄＢ変換し、TxPowについて整理すると次式となる。
【００１４】
TxPow  ＝ TxPow(max)−１０×log10（Ｎ）[ｄＢ]・・・（４）
式(４)は、複数のアンテナ系列を有する送信機が送信電力規定を満足するためには、送信機にて使用するアンテナ系列数Ｎに応じて、各アンテナ系列から送信される平均送信電力TxPowを変化させる必要があることを意味している。なお、TxPowの低減は図４においてバックオフを大きくとることと等価である。表1には式(４)において、送信機にて使用するアンテナ系列数Ｎに対する各アンテナ系列から送信される平均送信電力TxPowの関係を数値で示している。表１より、例えば送信アンテナ系列数Ｎ＝１０の場合、送信アンテナ系列数Ｎ＝１の場合のTxPowよりも１０ｄＢ低減（バックオフを１０ｄＢ増加）させる必要がある。
【００１５】
【表１】
2007158913.tif 000003
従来技術においては、上述したように、各アンテナ系列に同等の性能をもつ送信電力増幅器が配置される。そして、１アンテナ系列送信の場合でも規定された最大変調多値数の変調精度を満足するバックオフで送信電力増幅器を動作させる必要がある。そのため、使用送信アンテナ系列が複数（Ｎ個）になった場合、前述したように最大送信電力規定を満足させるためには、バックオフを強制的に増加させる（TxPowを低減させる）必要がある。
【００１６】
既述のように、バックオフを大きくすることは、送信電力増幅器の歪みが小さくなり、変調精度がより改善される方向に作用する。しかし、変調精度の要因としては、既述したように発振器の位相雑音等の送信電力増幅器による送信電力値に依存しない固定劣化分も含まれる。そのため、必要以上にバックオフを増加させ、送信電力増幅器の歪みを低減させても位相雑音等の他の固定劣化が支配的要因となり、変調精度は頭打ちになる。これは一方で、送信電力増幅器の消費電力、実装面積を不必要に使用していることを意味し、通信機の小型化、バッテリー駆動の通信機の長使用時間化の改善に対する妨げとなっている。各アンテナ系列に対して通信に必要な変調精度を満たしつつ、これらの弊害の発生を防止することが本分野における課題である。
【特許文献１】特開２００４−１３５２６３号公報
【発明の開示】
【発明が解決しようとする課題】
【００１７】
上述した従来の送信機では、各アンテナ系列に対して通信に必要な変調精度を確保するために複数のアンテナ系列のそれぞれに同等の性能を有する送信電力増幅器を配置しているため、送信電力増幅器の総消費電力が大きくなってしまうという問題点があった。
【００１８】
本発明の目的は、複数のアンテナ系列それぞれに送信電力増幅器を配置した場合であっても、必要な変調精度を確保しつつ送信電力増幅器の消費電力および実装面積を削減することが可能な送信機を提供することである。
【課題を解決するための手段】
【００１９】
上記目的を達成するために、本発明の送信機は、複数の送信アンテナと前記複数の送信アンテナに対してそれぞれ配置された複数の送信電力増幅器とから構成された複数のアンテナ系列を有する送信機において、
前記複数の送信電力増幅器の少なくとも１つは、他の送信電力増幅器と比較して、増幅に関する特性が異なることを特徴とする。
【００２０】
つまり、本発明は、１つの送信アンテナに対して１つの送信電力増幅器からなるアンテナ系列が少なくとも２つ以上備えられた送信機において、各アンテナ系列に対して使用される送信電力増幅器の少なくとも１つが他の送信電力増幅器と比較して増幅特性が異なることを特徴とする。
【００２１】
本発明によれば、複数の送信電力増幅器のうちの少なくとも１つが他と比較して増幅特性が異なっているため、指定された使用送信アンテナ系列数や必要な変調精度等に合わせて、最適な増幅特性の送信電力増幅器を有するアンテナ系列を選択することが可能となる。
【００２２】
そのため、複数のアンテナ系列を有する場合でも、通信に必要な変調精度を満たした状態で、消費電力、或いは実装面積を低減することが可能となる。
【００２３】
また、本発明の他の送信機では、前記増幅に関する特性を飽和出力電力値としてもよい。
【００２４】
さらに、指定された変調情報に基づいて、前記複数のアンテナ系列の中から使用するアンテナ系列を選択する送信制御部を備えるようにしてもよい。
【００２５】
前記送信制御部は、前記変調情報として使用送信アンテナ系列数情報、符号化率情報、変調多値数情報、受信機の受信誤り率に関する情報のいずれか、またはこれらの組み合わせを用いるようにしてもよい。
【発明の効果】
【００２６】
以上説明したように、本発明によれば、従来における複数のアンテナ系列を有する送信機で課題となっていた、通信に必要な変調精度を満たした状態で、消費電力、或いは実装面積を低減することができるという効果を得ることができる。
【発明を実施するための最良の形態】
【００２７】
次に、本発明の実施の形態について図面を参照して詳細に説明する。
【００２８】
図１は本発明の一実施形態の送信機の構成を示すブロック図である。本実施形態の送信機は、図１に示されるように、送信制御部５００と、符号処理部５０１と、変調処理部５０２と、デジタルアナログ変換処理部５０３と、アナログ信号処理部５０４と、Ｎ個の送信電力増幅器（１）〜（Ｎ）５０６と、Ｎ個の送信アンテナ５０７とを備えている。
【００２９】
送信制御部５００は、受信した送信制御信号に基づいて、符号化率情報、変調多値数情報、使用送信アンテナ系列数情報等の情報を作成して、符号処理部５０１、変調処理部５０２、デジタルアナログ変換処理部５０３、アナログ信号処理部５０４、送信電力増幅器５０６に通知する。
【００３０】
符号化処理部５０１は、送信制御部５００より受信した符号化率情報、使用アンテナ系列数情報より、使用アンテナ系列に対して源情報データを符号化処理する。変調処理部５０２は、送信制御部５００より受信した変調多値数情報、使用アンテナ系列数情報より、使用アンテナ系列に対するＢＰＳＫ、ＱＰＳＫ、１６ＱＡＭ、６４ＱＡＭ等の多値変調処理を行う。
【００３１】
デジタル／アナログ変換処理部５０３は、送信制御部５００より受信した使用送信アンテナ情報に応じて、使用送信アンテナ系列に対するデジタル信号をアナログ信号に変換する。アナログ信号処理部５０４は、送信制御部５００より受信した使用送信アンテナ数情報に応じて、使用送信アンテナ系列に対するアナログ信号処理を行う。
【００３２】
Ｎ個の送信電力増幅器５０６は、送信制御部５００より受信した使用送信アンテナ系列数情報に応じて、使用送信アンテナ系列に対する入力信号の増幅をそれぞれ行う。Ｎ個の送信アンテナ５０７は、送信制御部５００より受信した使用送信アンテナ情報に応じて、使用アンテナ系列に対する送信電力増幅器５０６からの出力信号をそれぞれ無線信号として放出する。
【００３３】
尚、上記処理は低消費電力化の観点から、未使用アンテナ系列に対しては処理をしないことが望ましい（電源からエネルギーを供給しない）。
【００３４】
また、Ｎ個の各アンテナ系列にそれぞれ１個ずつ搭載されている送信電力増幅器（総計Ｎ個）５０６として、少なくとも飽和出力電力値が異なる２種類以上の増幅器を用いる。つまり、Ｎ個の送信電力増幅器５０６の少なくとも１つは、他の送信電力増幅器５０６と比較して、飽和出力電力値が異なっている。
【００３５】
また、送信制御部５００は、受信した送信制御信号をもとに作成された符号化率情報、変調多値数情報、使用送信アンテナ系列数情報、受信機の受信誤り率に関する情報等の変調情報に基づいて、Ｎ個のアンテナ系列の中から送信規定を満足するアンテナ系列を、使用するアンテナ系列として選択する機能も有する。ただし、以下の説明では説明を簡単にするために、変調情報として使用送信アンテナ系列数情報を用いた場合について説明する。
【００３６】
本実施形態の送信機の根幹をなす部分は、Ｎ個のアンテナ系列に各々１個ずつ搭載されている送信電力増幅器（総計Ｎ個）５０６として、少なくとも飽和出力電力値が異なる２種類以上の送信電力増幅器が用いられている点、および、使用送信アンテナ系列数情報から、送信規定を満足するアンテナ系列を選択する点の２点にある。
【００３７】
以下、説明を容易にするため、例として送信アンテナ系列数Ｎ＝４の場合について考える。ここで、送信電力増幅器に設定するバックオフをBOとすると、BOは、送信アンテナ系列数が４の場合に、送信時の各アンテナ系列に対する変調精度規定を１アンテナ系列送信時で満足するバックオフとする。
【００３８】
以上を踏まえ、下記のような飽和出力電力Ｐsatがそれぞれ異なる４つの送信電力増幅器１〜４を用意する。ここで、送信電力増幅器１〜４の飽和出力電力を、それぞれＰsat（１）〜（４）として表す。
【００３９】
なお、下記説明では飽和出力電力Ｐsatが異なる送信電力増幅器を用意することがポイントであり、説明を容易にするために設定したBoは各増幅器で同一である必要は必ずしもない。
送信電力増幅器１：
飽和出力電力Ｐsat（１）＝ TxPow(max) ＋Bo−１０×log10(Ｎ＝１)ｄＢ
＝ TxPow(max) ＋Bo−０．０  ｄＢ  ・・・（５）
送信電力増幅器２：
飽和出力電力Ｐsat（２）＝ TxPow(max) ＋Bo−１０×log10(Ｎ＝２)ｄＢ
＝ TxPow(max) ＋Bo−３．０  ｄＢ  ・・・（６）
送信電力増幅器３：
飽和出力電力Ｐsat（３）＝ TxPow(max) ＋Bo−１０×log10(Ｎ＝３)ｄＢ
＝ TxPow(max) ＋Bo−４．８  ｄＢ  ・・・（７）
送信電力増幅器４：
飽和出力電力Ｐsat（４） ＝ TxPow(max) ＋Bo −１０×log10(Ｎ＝４)ｄＢ
＝ TxPow(max) ＋Bo−６．０  ｄＢ  ・・・（８）
ここで、式（５）のＰsat（１） ＝ TxPow(max) ＋Boの関係より、送信電力増幅器１〜４の飽和出力電力Ｐsat（１）〜（４）はそれぞれ以下のように表すことができる。
【００４０】
飽和出力電力Ｐsat（１） ＝Ｐsat（１）  ｄＢ    ・・・（９）
飽和出力電力Ｐsat（２） ＝ Ｐsat(1)−３．０  ｄＢ  ・・・（１０）
飽和出力電力Ｐsat（３） ＝ Ｐsat(1)−４．８  ｄＢ  ・・・（１１）
飽和出力電力Ｐsat（４） ＝ Ｐsat(1)−６．０  ｄＢ  ・・・（１２）
この送信電力増幅器１〜４の関係を図２に示す。図２（ａ）〜図２（ｄ）は、それぞれ送信電力増幅器１〜４の出力信号と利得との関係を示した図である。
【００４１】
以上を踏まえ送信制御部５００は、使用送信アンテナ系列数が１の場合は飽和出力電力Ｐsat（１）の送信電力増幅器１を搭載したアンテナ系列を使用し、使用送信アンテナ系列数が２の場合は飽和出力電力Ｐsat（１）、及びＰsat（２）の送信電力増幅器１、２を各々搭載した２つのアンテナ系列を使用する。また、送信制御部５００は、使用送信アンテナ系列数が３の場合は飽和出力電力Ｐsat（１）、Ｐsat（２）及びＰsat（３）の送信電力増幅器１〜３を各々搭載した３つアンテナ系列を使用する。そして、送信制御部５００は、使用送信アンテナ系列数が４の場合は飽和出力電力Ｐsat（１）、Ｐsat（２）、Ｐsat（３）及びＰsat（４）の送信電力増幅器１〜４を各々搭載した４つのアンテナ系列を使用するよう制御する。
【００４２】
このように、送信制御部５００が使用送信アンテナ系列数に基づいて、使用するアンテナ系列を選択することにより、各アンテナ系列の送信電力増幅器では、送信電力飽和出力電力に対して必要なバックオフが確保されることとなる
例えば、送信アンテナ系列数が２の場合、上記の表１に示されるように、各アンテナ系列での送信電力TxPowは、TxPow(max)−３．０[ｄＢ]となる。そして、送信アンテナ系列数が２であることにより、送信制御部５００は、上記４つの送信電力増幅器１〜４の中から、送信電力増幅器１、２を搭載した２つのアンテナ系列を使用アンテナ系列として選択する。ここで、送信電力増幅器１の飽和出力電力値Ｐsat（１）は、TxPow(max)＋Boであり、送信電力増幅器２の飽和出力電力値Ｐsat（２）は、Ｐsat（１）−３．０＝TxPow(max)＋Bo−３．０[ｄＢ]である。つまり、送信電力増幅器１では、バックオフとしてBo＋３．０[ｄＢ]、送信電力増幅器２では、バックオフとしてBo[ｄＢ]が確保されていることがわかる。
【００４３】
上記の本実施形態の説明では、送信電力増幅器５０６の増幅に関する特性として飽和出力電力値を用いた場合について説明しているが、本発明はこのような場合に限定されるものではなく、飽和出力電力値以外の増幅特性が異なる複数の送信電力増幅器を用いた場合にも同様に適用することができるものである。
【００４４】
また、上記の説明では、送信制御部５００は、使用送信アンテナ系列数に基づいて、使用アンテナ系列を選択するものとして説明しているが、符号化率情報、変調多値数情報等の他の変調情報に基づいて使用アンテナ系列を選択するようにしてもよい。
【００４５】
一般的に、送信電力増幅器は、飽和出力電力が大きい程、変調精度も高くなる。そして、各送信電力増幅器（１）〜（Ｎ）５０６の変調精度に関する情報を送信制御部５００に予め格納しておくようにする。そして、送信制御部５００は、複数の送信電力増幅器（１）〜（Ｎ）５０６の中から、必要な変調精度を満たす送信電力増幅器を選択することにより使用アンテナ系列を選択する。
【００４６】
また、送信制御部５００では、受信機側の受信誤り率情報、或いは受信電力等の受信情報を考慮して使用アンテナ系列を選択してもよい。例えば、データ誤り率が高い場合は高変調精度のアンテナ系列を選択し、データ誤り率が低い場合は低変調精度のアンテナ系列を選択する。
【００４７】
また、複数の符号化率、複数の変調多値数等の組み合わせにより、伝送レートのモードが複数ある場合には、送信制御部５００は、各伝送レートのモードに対する変調精度を考慮して使用するアンテナ系列を選択してもよい。
【００４８】
次に、本実施形態の送信機が従来の送信機と比較して、消費電力を低減することができる理由について説明する。
【００４９】
本実施形態の根幹をなす部分の作用は、飽和出力電力が異なる２個以上の送信電力増幅器を用いることで送信規定を満足し、かつ低消費電力化を施すことにある。
【００５０】
作用を説明する一例として、使用送信アンテナ系列数Ｎ＝４とした場合を考える。この場合、式（１）、（１０）、（１１）、（１２）より、４個の送信電力増幅器の総合の消費電力Pdc(Total)は、Ｐsat（１）の真値（ｄＢ表記でない通常の値）表記をＰsatとすると、
Pdc(Total)＝(１＋１／２＋１／３＋１／４)×Ｐsat
＝２．０８×Ｐsat
となり、従来技術（同一の送信電力増幅器を４つ用いた場合）のPdc(Total)は
Pdc(Total)＝(１＋１＋１＋１)×Ｐsat
＝４×Ｐsat
となる。ここで、式（１）のηmaxは固定とした。
【００５１】
結果、従来技術と比較して、Pdc(Total)は２．０８／４．０＝約５２％に低減されることがわかり、送信アンテナ系列数の増加による送信電力増幅器の消費電力が低減する。また、従来技術では飽和出力電力値がＰsat（１）の４個の送信電力増幅器を用いている一方、本発明では少なくともＰsat（１）より小さい３個の飽和出力電力値（Ｐsat（２）、Ｐsat（３）、Ｐsat（４））の増幅器を用いているため、４個の送信電力増幅器が占める搭載面積を低減させることもできる。これまでは、使用送信アンテナ系列数Ｎ＝４について述べてきたが、Ｎ＞１に対しても同様の議論は可能である。
【００５２】
以上述べたように、本実施形態の送信機によれば、従来における複数のアンテナ系列を有する送信機で課題となっていた、通信に必要な変調精度を満たした状態で、消費電力、或いは実装面積を低減することができる。
【図面の簡単な説明】
【００５３】
【図１】発明の一実施形態の送信機の構成を示すブロック図である。
【図２】本発明の一実施形態における送信電力増幅器１〜４の出力信号と利得との関係を示す図である。
【図３】複数のアンテナ系列を有する従来の送信機の構成を示すブロック図である。
【図４】送信電力増幅器の出力電力に対する増幅器の利得及び消費電力の関係を示す図である。
【図５】送信スペクトルを説明するための図である。
【符号の説明】
【００５４】
１０    デジタル信号処理部
１１    デジタルアナログ変換処理部
１２    アナログ信号処理部
１３    送信電力増幅器
１５    送信アンテナ
５００    送信制御部
５０１    符号処理部
５０２    変調処理部
５０３    デジタルアナログ変換処理部
５０４    アナログ信号処理部
５０６    送信電力増幅器（１）〜（Ｎ）
５０７    送信アンテナ
【図１】
2007158913.tif 000004
【図２】
2007158913.tif 000005
【図３】
2007158913.tif 000006
【図４】
2007158913.tif 000007
【図５】
2007158913.tif 000008